(57)【要約】【課題】  綴る用紙の枚数が多い場合や用紙が硬い場合にも、針の針脚を正常に折り曲げることのできる綴じ具を提供する。【解決手段】  ハンドル部110とベース部170との間に針を収納するマガジン部140と針を押し出す押刃131を備えたハウジング部120とを有する綴じ具100であって、前記マガジン部140にはマガジン部正面部内側面へ針を押し付ける針押え165を内蔵すると共に、マガジン正面中央内側面159に先端の一部を接触させるように付勢された押圧杆230をマガジン部140底部中央に内蔵し、前記押圧杆230はその先端上方ではマガジン正面中央内側面159との間に前記針の１個が挿入される間隙を有し、傾斜部247を備えて先端下方をマガジン正面中央内側面159に接触させている綴じ具100とする。【選択図】    図３
2014034099.tif 000002
【特許請求の範囲】
【請求項１】
ハンドル部とベース部との間に針を収納するマガジン部と針を押し出す押刃を備えたハウジング部とを有する綴じ具であって、前記マガジン部はマガジン部の正面内側面へ針を押し付ける針押えを内蔵すると共に、マガジン正面中央内側面に先端の一部を接触させるように付勢された押圧杆をマガジン部底部中央に内蔵し、前記押圧杆はその先端上方ではマガジン正面中央内側面との間に前記針の１個が挿入される間隙を有し、傾斜部を備えて先端下方がマガジン正面中央内側面に接触していることを特徴とする綴じ具。
【請求項２】
前記押圧杆は、棒状の押圧杆本体部を有し、前記押圧杆本体部の中心軸線をマガジン部の前後方向中心線と平行とし、前記押圧杆本体部の前端に下突出部を備える押圧ヘッド部を有し、前記下突出部の下端をマガジン部下面近傍の高さとしていることを特徴とする請求項１に記載した綴じ具。
【請求項３】
前記押刃の下端部中央には、前記下端部から上方に前記押圧杆の押圧ヘッド部が挿入可能とされる切込み溝を有することを特徴とする請求項２に記載した綴じ具。
【発明の詳細な説明】
【技術分野】
【０００１】
本発明は、金属製の針によって紙等を綴じる綴じ具に関するものである。
【背景技術】
【０００２】
今日、ステープラと呼ばれ、金属製の針を打ち出して複数枚の用紙を綴じる文房具が多用されている。
【０００３】
このステープラと呼ばれる綴じ具には、綴じたときに針の針脚を湾曲させた状態に折り曲げるステープラと、針の針脚を平らに折り曲げるステープラの２つの種類があり、今日では、針脚を平らに折り曲げるステープラが一般的に使用されている。
【０００４】
そして、ステープラは事務用品等として多用されているも、綴る用紙の枚数が多い場合や用紙が硬い場合、針脚を正常に折り曲げられないことがあり、紙等を確実且つ美麗に綴じることができない場合もあった。
【０００５】
このため、押刃の力を針に無理なく伝えるための種々の工夫がなされており、押刃の先端形状において、両端部を僅かに下方に突出させ、針の針脚への押圧力を正しく針に伝えるようにする構造も提案されている（例えば特許文献１）。
【先行技術文献】
【特許文献】
【０００６】
【特許文献１】特開２００４−０５０３５０号公報
【発明の概要】
【発明が解決しようとする課題】
【０００７】
上述の様に、押刃の先端形状に突起を形成するなど、最大の力が加わり剛性や耐久性が求められる押刃の先端形状に加工を施して凹凸を設けることは、精度の高い加工を施すことが困難であった。
【０００８】
本発明は、押刃の先端に簡単な加工を施し、比較的容易な部品の追加を行って針を正常に折り曲げる確率を高めたステープラを提供するものである。
【課題を解決するための手段】
【０００９】
本発明に係る綴じ具は、ハンドル部とベース部との間に針を収納するマガジン部と針を押し出す押刃を備えたハウジング部とを有する綴じ具であって、前記マガジン部はマガジン部の正面内側面へ針を押し付ける針押えを内蔵すると共に、マガジン正面中央内側面に先端の一部を接触させるように付勢された押圧杆をマガジン部底部中央に内蔵し、前記押圧杆はその先端上方ではマガジン正面中央内側面との間に前記針の１個が挿入される間隙を有し、傾斜部を備えて先端下方がマガジン正面中央内側面に接触していることを特徴とする。
【００１０】
そして、前記押圧杆は、棒状の押圧杆本体部を有し、前記押圧杆本体部の中心軸線をマガジン部の前後方向中心線と平行とし、前記押圧杆本体部の前端に下突出部を備える押圧ヘッド部を有し、前記下突出部の下端をマガジン部下面近傍の高さとしていることを特徴とする。
【００１１】
更に、前記押刃の下端部中央には、前記下端部から上方に前記押圧杆の押圧ヘッド部が挿入可能とされる切込み溝を有することを特徴とする。
【発明の効果】
【００１２】
本発明に係る綴じ具は、先端上方にはマガジン正面中央内側面との間に針の１個が挿入される間隙を有し、且つ、傾斜部を備えて先端下方がマガジン正面中央内側面に接触するように付勢された押圧杆を有しているため、押刃によりマガジン部に収納した針を押下げるとき、針のクラウン部を間隙に挿入した後、傾斜部によりクラウン部の中央付近へ針の降下に対する抵抗を与え、クラウン部中央が針の肩部よりも下がるように座屈することを防止して針を正しく用紙に押し込み、針脚を正常に折り曲げて用紙を確実に綴じることができる。
【００１３】
そして、マガジン部に、傾斜部を有して先端の一部がマガジン正面中央内側面に接するように付勢した押圧杆を組み込むものであるため、製造が容易な綴じ具とすることができる。
【００１４】
また、押圧杆の前端に下突出部を備える押圧ヘッド部を有し、下突出部の下端をマガジン部下面近傍の高さとすれば、押圧ヘッド部とマガジン正面中央内側面との間隙に挿入された針のクラウン部に対して針がマガジン部から打ち出されるまで抵抗を与え、より確実に針を正しく打ち込むことができる。
【００１５】
そして、押刃の下端部から押圧ヘッドが挿入可能な切込み溝を設けた綴じ具は、切込み溝の両側位置で押刃の下端部を針に接触させ、針のクラウン部における両側を強く押下げて一層確実に針を正確に打ち出すことができると共に、針の打出し後、押圧ヘッドがマガジン正面中央内側面に接して押刃に接することがなく、押刃、ひいてはハウジング部やハンドル部の戻りを円滑に行わせることができる。
【図面の簡単な説明】
【００１６】
【図１】本発明に係る綴じ具の外観を示す前方斜視図。
【図２】本発明に係る綴じ具のマガジンを引き出した状態を示す前方斜視図。
【図３】本発明に係る綴じ具の断面図。
【図４】本発明に係る綴じ具のマガジン本体部における要部を示す斜視図。
【図５】本発明に係る綴じ具のマガジン本体部における要部を示す下面斜視図。
【図６】本発明に係る綴じ具の針を収納した状態を示す断面図。
【図７】本発明に係る綴じ具の用紙を挟んだ作動状態を示す断面図。
【図８】本発明に係る綴じ具の用紙に針を通した作動状態を示す断面図。
【図９】本発明に係る綴じ具の用紙を綴じた作動状態を示す断面図。
【発明を実施するための形態】
【００１７】
本発明に係るステープラと呼ばれる綴じ具の形態は、図１に示すように、ハンドル部110とベース部170との間に針を収納するマガジン部140と針を打ち出す押刃131を備えるハウジング部120を有すると共に、ベース部170には上下移動可能とされた可動クリンチャ199を備えて針の針脚を平らに折り曲げるフラットタイプの綴じ具100である。
【００１８】
尚、ハンドル部110の方向を上方、ベース部170の方向を下方、ハンドル部110とベース部170が接続される方向を後方、ハンドル部110とベース部170との間が開いている方向を前方として説明する。
【００１９】
この綴じ具100は、図２及び図３に示すように、前後に所要の長さを有しつつ横断面がコ字状とされて下方を開口した形状とすることにより剛性を確保したハンドルアーム113をハンドル部110の内部に有し、表面が適宜の曲面とされて綴じ具100を握り易くしたハンドルカバー111をハンドルアーム113に被せたハンドル部110を有するものである。
【００２０】
そして、ハンドル部110と後方で接続されるベース部170は、板状にして前後に所要の長さを有するベース底板171、及び、ベース底板171の両側に沿って立ち上がるベース側板173、このベース側板173の後方端部近傍において高さを高くした立上げ壁175を備えるベース基板を有し、このベース基板の下方からベース底板171及びベース側板173を覆うベースカバー177を有するものである。
【００２１】
更に、立上げ壁175の上端近くに設けたハンドル軸119によりハンドル部110を回動可能にベース部170に固定し、立上げ壁175の後端近傍の中間高さ位置に設けた回動軸181によりハウジング部120とマガジン部140とをベース部170に対して回動可能に取り付けるものである。
【００２２】
このハウジング部120は、平板状にしてハンドルアーム113よりも僅かに短い長さとされたハウジング天板123と、ハウジング天板123の両側に沿って垂下するハウジング側板125を有して先端近傍の内側に押刃131を有し、ハウジング部120の先端部分を覆うハウジングカバー121を備えるものである。
【００２３】
また、ハウジング天板123の中央やや後方位置と、ハンドルアーム113の後端近傍であってハンドル軸119よりも前方とされる位置とを、リンクバー105で接続するものとし、このリンクバー105は、上リンク軸106により一端がハンドルアーム113に対して回動可能に固定され、リンクバー105の他端が下リンク軸107によりハウジング天板123に回動可能に固定されるものである。
【００２４】
そして、ハウジング部120は、先端近傍に針を押し出す押刃131を有すると共に、ハウジング部120の前端とマガジン部140の前端に所定の間隔を形成させる弾性体127も内蔵するものである。
【００２５】
この押刃131及び弾性体127は、図３及び図４の（ａ）に示す実施例としては一体の鋼板としているも、弾性体127は押刃131とは別の適宜の弾性体127を使用することが可能なものである。
【００２６】
また、マガジン部140は、図２に示したようにマガジンケースからマガジン本体部151が前方に引き出し可能とされるものである。
【００２７】
このマガジンケースは、マガジンケース上板141とこのマガジンケース上板141の両側に沿ってマガジンケース上板141から垂下するマガジンケース側板143と、左右のマガジンケース側板143の各下端から相互に内側に突出するマガジンケース下板145を有し、マガジン本体部151を前後に摺動可能に保持するものである。
【００２８】
そして、マガジンケースの前端にはマガジンケース上板141から僅かに下方に垂下するマガジンケース前板147を有し、このマガジンケース前板147の下方に針を通過させる空間を形成しつつこのマガジンケース前板147により、針押え165がマガジンケースから前方に突出することを防止し、マガジン本体部151を引き出したときにマガジン本体部151へ針を挿入することを容易としている。
【００２９】
更に、マガジン本体部151は、図３及び図４に示すように、板状のマガジン底面板153と、このマガジン底面板153の両側に沿ってマガジン底面板153から立ち上がるマガジン側面板155を有し、マガジン側面板155の前端から内側に向かうマガジン正面板157も有してマガジンケース内に収納されるものであり、マガジン正面板157及びマガジン側面板155の前端近傍を覆うマガジンヘッド部158を有するものである。
【００３０】
尚、マガジン底面板153の前端とマガジン正面板157との間には針を打出す打出し口161が形成され、両側のマガジン側面板155から内側に向かうマガジン正面板157の中央部にはマガジンヘッド部158の中央内側面がマガジン正面板157の内側面と略同一平面とされるマガジン正面中央内側面159を形成している。
【００３１】
尚、マガジン本体部151の後方には、マガジン本体部151を前方に付勢するコイルバネ等の弾性体148とマガジン本体部151をマガジンケースに収めた状態でマガジン本体部151を係止するストッパー152を配置している。
【００３２】
更に、マガジン本体部151の内部にはマガジン本体部151内に収納した針を前方に押圧する針押え165を備え、針押え165は下方を開放したコ字形状とされ、左右のマガジン側面板155に接して前後に移動可能とされ、マガジンケース前板147とマガジンケース上板141の後端に設けたガイド支持板149によりマガジンケースに固定されたガイド棒167に沿って移動するものであり、ガイド支持板149と針押え165との間にコイルバネ等の弾性体169を配置して針押え165を前方に付勢しているものである。
【００３３】
また、このマガジン本体部151は、押圧ヘッド部235を備えた押圧杆230も備えるものである。
【００３４】
この押圧杆230は、図４の（ｂ）に示すように、角棒状の押圧杆本体部231を有し、押圧杆本体部231の中心軸線をマガジン本体部151の前後方向中心線と平行とし、マガジン底面板153に立設された支持片237を貫通させ、前後方向に移動可能としてマガジン底面板153に載置するようにマガジン本体部151の左右方向中央に収納されるものである。
【００３５】
この支持片237は、図５に示すように、マガジン底面板153の一部を切り抜くようにして切り抜き部の一部を上方に折り曲げるものであり、押圧杆本体部231の角形状に合わせた透孔を有して押圧杆230を前後移動可能として押圧杆本体部231をマガジン底面板153の上面に支持しつつ、角柱形状とした押圧杆230が回転しないように支持しているものである。
【００３６】
また、この支持片237の一方に弾性体である押圧バネ239の端部を支持させて押圧バネ239により押圧杆230を前方に付勢している。
【００３７】
更に、この押圧杆230は前端に押圧ヘッド部235を有するものであり、押圧ヘッド部235は、押圧杆本体部231よりも上方に突出する上突出部241と押圧杆本体部231よりも下方に突出する下突出部245を有し、上突出部241の高さはマガジン本体部151に収納される針のクラウン部高さよりも僅かに低い高さとされ、下突出部245の下端はマガジン底面板153の下面位置から僅かに突出させてマガジン底面板153と略同一面となる位置とされ、マガジン本体部151がマガジンケースに収納されたとき、マガジンケース下板145の下面やマガジンヘッド部158の下端下面、即ちマガジン部140の下面よりも僅かに高いマガジン部140の下面近傍位置とされる。
【００３８】
尚、マガジン底面板153の前端には、マガジン正面板157との間に針を１個だけ通過させる打出し口161が設けられているも、本実施の形態の綴じ具100では、押圧杆230の下突出部245が収納されて前後に移動可能とされる切欠き部163をマガジン底面板153の前端中央に設けている。
【００３９】
そして、上突出部241の前端はマガジン底面板153に対して略垂直な前端面243とされ、下突出部245の前端は僅かに傾斜した傾斜部247を形成して下方を前方に突出させた形状とされる。
【００４０】
このため、押圧杆230を押圧バネ239により前方に付勢し、傾斜部247の下端をマガジン正面板157の内側面と略同一面を形成するマガジンヘッド部158の中央内側面159に当接させた状態において、マガジンヘッド部158の内側面であるマガジン正面中央内側面159と上突出部241の前端面243との間に間隙を生じさせ、マガジン正面板157の内側面に圧接される針１個のクラウン部253がこの間隙に挿入され且つ降下可能とされるものである。
【００４１】
そして、押刃131は、図４の（ａ）に示すように、直線形状とされた押刃131の下端部133において、押圧ヘッド部235の幅に合わせた切込み溝135を押刃131の下端部133の中央に有し、押刃131の下端部133が打出し口161から下方に僅かに突出するとき、図５に示したように切込み溝135に押圧ヘッド部235の傾斜部247が収納されるようにしている。
【００４２】
また、このマガジン部140は、マガジンケース下板145とクリンチャベース枠193との間にコイルバネ等の弾性体187を備えてマガジン部140の前端とベース部170の前端との間に間隙を形成して用紙を挟み込むことができるようにしている。
【００４３】
更に、ベース部170には可動クリンチャ199が設けられ、可動クリンチャ199を収納するクリンチャカバー197の後方には、図１及び図２に示したように紙当て179を有し、この紙当て179は前後位置調整が可能とされ、マガジン部140とベース部170との間に差し込む用紙の差し込み量、即ち、用紙に針を打ち込む位置の用紙の縁からの距離を設定可能としている。
【００４４】
この可動クリンチャ199をベース部170に取り付ける構造としては、立上げ壁175の下方へクリンチャピン195によりクリンチャベース枠193の後端近傍を回動可能に固定してクリンチャベース枠193の前端を上下移動可能とし、クリンチャベース枠193の上に設けたクリンチャベース板191の前端に可動クリンチャ199を内蔵するクリンチャカバー197を設け、クリンチャベース板191とベース底板171との間にコイルバネ等の弾性体198を配置してクリンチャベース板191及びクリンチャベース枠193を押し上げ、クリンチャベース枠193の前端をベースカバー177の前端内側に係合させてクリンチャカバー197を所定高さ位置としているものである。
【００４５】
また、クリンチャベース板191の下面にはスライダ板211が前後に摺動可能に取り付けられ、スライダ板211の前端には下方に突出するスライダ突起213が、スライダ板211の後端左右両側には上方に突出する係合突起215が設けられ、図示されない弾性体によりスライダ板211が前方に付勢されているものである。
【００４６】
そして、スライダ突起213の下方にはベース底板171に固定されるスライダ受け185が設けられ、スライダ受け185の後端とスライダ突起213の前端を重ねてスライダ板211の前端、即ち可動クリンチャ199を備えるクリンチャベース板191の前端が降下することを阻止している。
【００４７】
そして、可動クリンチャ199の下方にはクリンチャ部190の前端が降下したとき、クリンチャカバー197に挿入されて可動クリンチャ199の下方を支持するクリンチャ係止部183がベース底板171に設けられ、ベース底板171とクリンチャベース板191との間にクリンチャ部190を押し上げるコイルバネ等の弾性体198が配置されている。
【００４８】
更に、係合突起215の前方上方には、同一形状とされる２個の回動アーム221が軸心位置を合わせた各アーム軸227によりマガジンケース側板143の両側に各々回動可能に取り付けられており、アーム軸227から前方上方に延びる各第１アーム223の先端をハウジング天板123の下面に接触させ、アーム軸227から下方に延びる各第２アーム225の先端を各係合突起215の前方上方に位置させている。
【００４９】
この回動アーム221は、アーム軸227によりマガジンケースに取り付けられているため、マガジン部140が降下して打出し口161が可動クリンチャ199に接近したとき、第２アーム225の先端を係合突起215の前方位置まで降下させ、ハウジング部120がマガジン部140に接近して押刃131により針を打出し口161から打ち出すとき、第１アーム223の先端がハウジング天板123により押下げられて回転し、第２アーム225の先端を後方に移動させて係合突起215ひいてはスライダ板211やスライダ突起213を後方に移動させるものである。
【００５０】
上述の構造とした綴じ具100は、ストッパー152の後方を押し下げるとマガジン本体部151が弾性体148により僅かに前方に押し出され、マガジンヘッド部158を摘んで図２に示したようにマガジン本体部151を引き出すことができるものである。
【００５１】
そして、引き出したマガジン本体部151に通常は５０個程度の針を一体とした連結針250を挿入し、マガジン本体部151をマガジンケースに押し込むと、図６に示すように、連結針250の後端が針押え165により前方に押されて連結針250の前端がマガジン正面板157に圧接されて連結針250の先頭の１個の針251が打出し口161の上方に位置することになる。
【００５２】
そして、ベース部170の先端から重ねた紙を挿入して紙の端縁を紙当て179に接触させてハンドル部110とベース部170とを握り合わせるようにすると、ハンドル部110の先端がハンドル軸119を中心に回転降下し、リンクバー105によりハウジング部120を回動降下させ、マガジン部140は弾性体127によりハウジング部120との間隔を維持するようにしてハウジング部120と一体に回動して先端を降下させることになる。
【００５３】
更にハンドル部110の先端を降下させると、図７に示したようにマガジン部140の先端が、図示を省略した重ねた用紙に接触してマガジン部140の先端とクリンチャカバー197とにより図示が省略された用紙を挟み、更にハンドル部110の先端を降下せるとハウジング部120の先端が降下して押刃131により連結針250の先端側の１個の針251を押下げることになる。
【００５４】
この１個の針251は、クラウン部253が押圧ヘッド部235の上突出部241の前端面243とマガジン正面板157との間隙を降下し、図８に示すように針脚255の先端を打出し口161から突出させて図示を省略した用紙に食い込ませ、針脚255の先端を可動クリンチャ199に挿入してハンドル部110の降下に合わせて針251のクラウン部253が切込み溝135を有する押刃131の下端部133により押下げられるものである。
【００５５】
そして、クラウン部253が押圧ヘッド部235の傾斜部247まで降下すると、押圧ヘッド部235を後退させる様にして針251は打出し口161から打ち出され、クラウン部253の中央が針251の降下に対して押圧ヘッド部235の抵抗を受けることとなって押刃131の下端部133により針251の針脚上端である肩部や肩部近傍のクラウン部253を強く押下げると共に、クラウン部253の中央部分が押圧ヘッド部235の抵抗を受けるため、針脚255の上端である針251の肩部よりもクラウン部253の中央部分が下がるようにして肩部が内側に倒れ込むように座屈することを防止でき、針251を正常に用紙に打ち込むことができるようになる。
【００５６】
更に、ハウジング部120が降下して針脚255の先端を内側に曲げつつ押刃131により針を打出し口161から略打ち出したとき、回動アーム221の第２アーム225により係合突起215を後方に移動させてスライダ突起213がスライダ受け185から外され、クリンチャ部190の前端が降下可能となり、図９に示したようにクリンチャカバー197が降下してクリンチャ係止部183が可動クリンチャ199の下から可動クリンチャ199に当接される。
【００５７】
従って、クリンチャ係止部183により下側を支持された可動クリンチャ199と押刃131とにより針の針脚255を挟み、針脚255を正しく折り曲げて紙を綴じることができる。
【００５８】
そして、押圧ヘッド部235の下端となる下突出部245下端の高さをマガジン底面板153と略同一であってマガジン部140の下面よりも僅かに高いマガジン部下面近傍の高さとしているため、マガジン部140の下面とクリンチャカバー197の上面との間に挟んだ用紙に打ち込まれた針251のクラウン部253は、押圧ヘッド部235の下端よりも押下げられ、用紙の上面と下突出部245の下端との間に形成される針251の厚さ分の隙間にクラウン部253が位置して押圧ヘッド部235から確実に外される。
【００５９】
従って、金属製の針251により綴じられた用紙を容易かつ迅速に綴じ具100から取り出すことができる。
【００６０】
更に、針251のクラウン部253から外れた押圧ヘッド部235の先端は、押圧バネ239により前方に押し出されて前進し、マガジン正面中央内側面159に当接されることとなり、ハンドル部110を握る力を緩めると、ハンドル部110やハウジング部120の前端の上昇により、押圧ヘッド部235を切込み溝135に収納した押刃131は容易に上昇復帰することになる。
【００６１】
このように、マガジン正面中央内側面159に押圧ヘッド部235の先端を当接させる押圧杆230をマガジン部140に収納すると共に押刃131に切込み溝135を設けて押刃131に押圧杆230の押圧ヘッド部235が接触しないようにしておけば、押刃131、ひいてはハウジング部12やハンドル部110の戻りを容易としてハンドル部110を復帰させるための弾性体127による復元力を強める必要がなく、ハンドル部110を降下させる際の弾性体127による抵抗を大きくすることなく容易に使用できる綴じ具100とすることができる。
【００６２】
このように、本実施の形態における綴じ具100は、押刃131により針251を押下げるとき、押圧ヘッド部235により針251の降下に対して針251におけるクラウン部253の中央に抵抗を与えて押刃131により針脚255の上方及びその近傍を強く下方に押下げるため、針脚255を用紙等に垂直に押し込む力を確実に与えて正しく用紙を貫通させ、針251の針脚255を適切に折り曲げることができる。
【００６３】
尚、上述した綴じ具100は、ベース部170に可動クリンチャ199を備えたクリンチャ部190を有して針脚255を平らに折り曲げるフラットタイプのステープラであるも、可動クリンチャ199を有することなく、不可動クリンチャによるフラットタイプとするもの、更には、針251の針脚255を湾曲させた状態に折り曲げるステープラであっても良い。
【００６４】
また、マガジン部140は、マガジンケースの前方にマガジン本体部151を引き出すタイプに限ることなく、マガジンケースの後方にマガジン本体部151を引き出すものや、マガジン本体部151を直接ベース部170に取り付け、ハウジング部120を回動させてマガジン部140上方を開放可能とするものなどであっても良い。
【００６５】
そして、図４に示したマガジン本体部151は、マガジン底面板153の中央に設けた押圧杆230における押圧ヘッド部235の先端をマガジンヘッド部158のマガジン正面中央内側面159に接触押圧させているも、マガジン側面板155の前端から内側に曲げたマガジン正面板157の内側面に接触押圧させることもある。
【産業上の利用可能性】
【００６６】
本発明に係る綴じ具100は、マガジン部140に針251が押し出される時に針251のクラウン部253に針251が降下することに対する抵抗を与える押圧杆230を有し、針251の針脚255を用紙に垂直に押し込み、正しく用紙を綴じることができ、使い勝手の良い文房具としてのステープラとすることができる。
【符号の説明】
【００６７】
１００  綴じ具                          １０５  リンクバー
１０６  上リンク軸                      １０７  下リンク軸
１１０  ハンドル部                      １１１  ハンドルカバー
１１３  ハンドルアーム                  １１９  ハンドル軸
１２０  ハウジング部                    １２１  ハウジングカバー
１２３  ハウジング天板                  １２５  ハウジング側板
１２７  弾性体                          １３１  押刃
１３３  下端部                          １３５  切込み溝
１４０  マガジン部                      １４１  マガジンケース上板
１４３  マガジンケース側板              １４５  マガジンケース下板
１４７  マガジンケース前板              １４８  弾性体
１４９  ガイド支持板                    １５１  マガジン本体部
１５２  ストッパー                      １５３  マガジン底面板
１５５  マガジン側面板                  １５７  マガジン正面板
１５８  マガジンヘッド部                １５９  マガジン正面中央内側面
１６１  打出し口                        １６３  切欠き部
１６５  針押え                          １６７  ガイド棒
１６９  弾性体
１７０  ベース部                        １７１  ベース底板
１７３  ベース側板                      １７５  立上げ壁
１７７  ベースカバー                    １７９  紙当て
１８１  回動軸                          １８３  クリンチャ係止部
１８５  スライダ受け                    １８７  弾性体
１９０  クリンチャ部                    １９１  クリンチャベース板
１９３  クリンチャベース枠              １９５  クリンチャピン
１９７  クリンチャカバー                １９８  弾性体
１９９  可動クリンチャ                  ２１１  スライダ板
２１３  スライダ突起                    ２１５  係合突起
２１７  スライダバネ                    ２２１  回動アーム
２２３  第１アーム                      ２２５  第２アーム
２２７  アーム軸
２３０  押圧杆                          ２３１  押圧杆本体部
２３３  後端                            ２３５  押圧ヘッド部
２３７  支持片                          ２３９  押圧バネ
２４１  上突出部                        ２４３  前端面
２４５  下突出部                        ２４７  傾斜部
２５０  連結針                          ２５１  針
２５３  クラウン部                      ２５５  針脚
【図１】
2014034099.tif 000003
【図２】
2014034099.tif 000004
【図３】
2014034099.tif 000005
【図４】
2014034099.tif 000006
【図５】
2014034099.tif 000007
【図６】
2014034099.tif 000008
【図７】
2014034099.tif 000009
【図８】
2014034099.tif 000010
【図９】
2014034099.tif 000011
【手続補正書】
【提出日】平成25年9月13日(2013.9.13)
【手続補正１】
【補正対象書類名】図面
【補正対象項目名】図３
【補正方法】変更
【補正の内容】
【図３】
2014034099.tif 000012
【手続補正２】
【補正対象書類名】図面
【補正対象項目名】図６
【補正方法】変更
【補正の内容】
【図６】
2014034099.tif 000013
【手続補正３】
【補正対象書類名】図面
【補正対象項目名】図７
【補正方法】変更
【補正の内容】
【図７】
2014034099.tif 000014
【手続補正４】
【補正対象書類名】図面
【補正対象項目名】図８
【補正方法】変更
【補正の内容】
【図８】
2014034099.tif 000015
【手続補正５】
【補正対象書類名】図面
【補正対象項目名】図９
【補正方法】変更
【補正の内容】
【図９】
2014034099.tif 000016